(57)【要約】      （修正有）【課題】幼児やペットが洗濯機の底面側へ不用意にアクセスすることを防止できるとともに、メンテナンス作業や清掃作業を容易に行うことができ、かつ、水漏れ等の発生時に水が外部に漏れ出ることを防止できる洗濯機用防水パンを提供する。【解決手段】防水パン１００は、排水口１２１が設けられた底部１２０と、底部に対して高さ方向に突出し、洗濯機２００が載置される複数の載置部１１０ａ、１１０ｂ、１１０ｃ、１１０ｄと、底部１２０の周囲を囲むように配置された複数の側壁部１３０ａ、１３０ｂ、１３０ｃ、１３０ｄと、側壁部の排水口と近接した箇所に配置され、側壁部の高さ方向に伸縮可能なじゃばら構造の本体部１４１を備える可動壁１４０と、を有している。【選択図】図１
2020026692.tif 000002
【特許請求の範囲】
【請求項１】
排水口が設けられた底部と、
前記底部に対して高さ方向に突出し、洗濯機が載置される載置部と、
前記底部の周囲を囲むように配置された側壁部と、
前記側壁部の前記排水口と近接した箇所に配置され、前記側壁部の高さ方向に伸縮可能なじゃばら構造の本体部を備える可動壁と、を有する洗濯機用防水パン。
【請求項２】
前記可動壁が配置された前記側壁部は、伸長した状態の前記可動壁の本体部により覆われる開口部と、前記開口部よりも前記側壁部の高さ方向の下部側に形成された基部と、を有する請求項１に記載の洗濯機用防水パン。
【請求項３】
前記可動壁の前記本体部は、前記底部の内側へ向かう傾斜した軌跡に沿って収縮可能である、請求項１または請求項２に記載の洗濯機用防水パン。
【請求項４】
前記載置部の内壁には、前記可動壁が固定される固定壁が設けられており、
前記固定壁は、前記側壁部側および前記底部側へ向けて傾斜している、請求項１〜３のいずれか１項に記載の洗濯機用防水パン。
【発明の詳細な説明】
【技術分野】
【０００１】
本発明は、洗濯機用防水パンに関する。
【背景技術】
【０００２】
洗濯機を家屋内等に配置する際、洗濯機を床板から嵩上げするために使用される防水パンが一般的に知られている（例えば、特許文献１を参照）。特許文献１に記載された防水パンは、その側壁に、防水パンの内側と防水パンの外側とを連通する開口部（切り欠き）が設けられている。作業者は、開口部を介して手指を洗濯機の底面側に入れることにより、洗濯機で使用した排水を流すための排水口や排水管、排水管に接続された排水トラップ等のメンテナンス作業や清掃作業を行うことができる。
【先行技術文献】
【特許文献】
【０００３】
【特許文献１】特開２００８−８８６３０号
【発明の概要】
【発明が解決しようとする課題】
【０００４】
しかしながら、特許文献１に記載された防水パンのように、防水パンの側壁に開口部が形成されていると、開口部を介して防水パンの内側と防水パンの外側とが常時連通してしまう。そのため、洗濯機の底面側へ幼児が誤って手を入れてしまったり、ペットが入り込んでしまったりする可能性がある。また、排水口からの水漏れが生じた場合、防水パンの内側から防水パンの外側へ水が容易に漏れ出してしまう虞がある。さらに、防水パンの内側と防水パンの外側とが常時連通していると、防水パンの内側に埃やごみ等が容易に入り込んでしまう。
【０００５】
本発明は、上記課題の解決を目的としており、幼児やペットが洗濯機の底面側へ不用意にアクセスすることを防止できるとともに、メンテナンス作業や清掃作業を容易に行うことができ、かつ、水漏れ等の発生時に水が外部に漏れ出ることを防止できる洗濯機用防水パンを提供することを目的とする。
【課題を解決するための手段】
【０００６】
本発明に係る洗濯機用防水パンは、排水口が設けられた底部と、前記底部に対して高さ方向に突出し、洗濯機が載置される載置部と、前記底部の周囲に配置された側壁部と、前記側壁部の前記排水口と近接した箇所に配置され、前記側壁部の高さ方向に伸縮可能なじゃばら構造の本体部を備える可動壁と、を有する。
【発明の効果】
【０００７】
本発明によれば、可動壁を側壁部の高さ方向に伸長させることにより、防水パンの内側を防水パンの外側から目隠しするように遮蔽することができる。それにより、幼児やペットが洗濯機の底面側へ不用意にアクセスすることを防止できる。また、防水パンの内側から防水パンの外側への水漏れや、防水パンの内側への埃やごみ等の侵入を防止することができる。また、可動壁を側壁部の高さ方向に収縮させることにより、防水パンの内側と防水パンの外側とを連通させることができ、排水口や排水管、排水トラップ等のメンテナンス作業や清掃作業を容易に行うことができる。
【図面の簡単な説明】
【０００８】
【図１】第１実施形態に係る洗濯機用防水パンに洗濯機を設置した状態を示す斜視図である。
【図２】第１実施形態に係る洗濯機用防水パンの一部を拡大して示す図であり、可動壁が伸長した状態の斜視図である。
【図３】第１実施形態に係る洗濯機用防水パンの一部を拡大して示す図であり、可動壁が収縮した状態の斜視図である。
【図４】第２実施形態に係る洗濯機用防水パンに洗濯機を設置した状態を示す斜視図である。
【図５】第２実施形態に係る洗濯機用防水パンの一部を拡大して示す斜視図である。
【図６】第２実施形態に係る洗濯機用防水パンの一部を拡大して示す斜視図である。
【図７】第２実施形態に係る洗濯機用防水パンの一部を拡大して示す正面図である。
【図８】図７の矢印８−８線に沿う断面図である。
【図９】第２実施形態に係る洗濯機用防水パンの一部を拡大して示す正面図である。
【図１０】図９の矢印１０−１０線に沿う断面図である。
【発明を実施するための形態】
【０００９】
以下、添付した図面を参照して、本発明の実施形態を説明する。なお、図面の説明において、同一の要素には同一の符号を付し、重複する説明を省略する。また、図面の寸法比率は、説明の都合上誇張されており、実際の比率とは異なる場合がある。
【００１０】
（第１実施形態）
図１には、本実施形態に係る洗濯機用防水パン（以下、「防水パン」とする）１００の使用状態の一例を示している。防水パン１００は、例えば、家屋内等において洗濯機２００を嵩上げして配置するため使用することができる。洗濯機２００としては、例えば、公知のドラム式洗濯機を挙げることができるが、洗濯機の種類や具体的な形状等は特に限定されない。
【００１１】
図１〜図３に示すように、防水パン１００は、排水口１２１が設けられた底部１２０と、底部１２０に対して高さ方向に突出し、洗濯機２００が載置される複数の載置部１１０ａ、１１０ｂ、１１０ｃ、１１０ｄと、底部１２０の周囲を囲むように配置された複数の側壁部１３０ａ、１３０ｂ、１３０ｃ、１３０ｄと、側壁部１３０ａの排水口１２１と近接した箇所に配置され、側壁部１３０ａの高さ方向に伸縮可能なじゃばら構造の本体部１４１を備える可動壁１４０と、を有している。
【００１２】
防水パン１００は、図１に示すように、底部１２０の四隅に配置された４つの載置部１１０ａ、１１０ｂ、１１０ｃ、１１０ｄにより、洗濯機２００の底部を支持する。洗濯機２００は、上端面が平坦な形状に形成された各載置部１１０ａ、１１０ｂ、１１０ｃ、１１０ｄ上に載置されることにより、防水パン１００の上方側に嵩上げして配置される。
【００１３】
防水パン１００は、例えば、平面視（上面視）の形状が略矩形形状に形成される。底部１２０の四隅に配置された各載置部１１０ａ、１１０ｂ、１１０ｃ、１１０ｄの間には、底部１２０の周囲を囲む４つの側壁部１３０ａ、１３０ｂ、１３０ｃ、１３０ｄが立設している。
【００１４】
図２および図３に示すように、底部１２０には、排水口１２１を覆う目皿１２３と、排水口１２１に接続された排水管１２５が配置されている。排水口１２１には、防水パン１００が設置される家屋等の床下側に配置される排水トラップ（図示省略）が接続されている。
【００１５】
各側壁部１３０ａ、１３０ｂ、１３０ｃ、１３０ｄのうち、排水口１２１に最も近接する側壁部１３０ａは、側壁部１３０ａの高さ方向（防水パン１００の高さ方向）に沿って伸縮可能な可動壁１４０で構成している。
【００１６】
図２には、可動壁１４０が側壁部１３０ａの高さ方向に伸長した状態を示し、図３には、可動壁１４０が側壁部１３０ａの高さ方向に収縮した状態を示している。
【００１７】
可動壁１４０が備える本体部１４１は、じゃばら構造（複数の谷折りおよび山折りの折り目が高さ方向に重なるように形成された伸縮可能な構造）を有しており、図２に示す伸長した状態と、図３に示す収縮した状態とに変形可能である。
【００１８】
防水パン１００の底部１２０は、図２に示すように可動壁１４０が伸長した状態では、側壁部１３０ａをなす可動壁１４０と各側壁部１３０ｂ、１３０ｃ、１３０ｄとにより周囲が囲まれる。したがって、防水パン１００の内側（底部１２０が設けられた側）は、防水パン１００の外側から目隠しするように遮蔽される。そのため、幼児やペットが洗濯機２００の底面側へ不用意にアクセスすることを防止できる。また、防水パン１００の内側で排水管１２５からの水漏れが発生した場合であっても、防水パン１００の内側から防水パン１００の外側へ水漏れが生じることを防止できる。また、防水パン１００の外側から防水パン１００の内側へ塵やごみ等が入り込むことも防止できる。
【００１９】
一方、防水パン１００は、図３に示すように可動壁１４０が収縮した状態では、可動壁１４０が設置された箇所に、防水パン１００の外側と防水パン１００の内側とを連通する開口部１３５を形成する。例えば、作業者は、排水管１２５および排水トラップのメンテナンス作業や清掃作業を行う際、可動壁１４０を収縮させて開口部１３５を形成することにより、開口部１３５を介して作業者の手指等を洗濯機２００の底面側に入れることが可能になる。そのため、作業者は、防水パン１００上に洗濯機２００が載置された状態においても、メンテナンス作業や清掃作業を容易に行うことができる。また、作業者は、メンテナンス作業を終えた後、可動壁１４０の本体部１４１を伸長させて図２に示す状態に変形させることにより、可動壁１４０と各側壁部１３０ｂ、１３０ｃ、１３０ｄとにより底部１２０の周囲が囲まれた状態へ可逆的に戻すことができる。
【００２０】
なお、本実施形態において、「可動壁１４０が配置される排水口１２１に近接した箇所」とは、可動壁１４０の少なくとも一部を収縮させた状態において、可動壁１４０により形成された開口部１３５を介して作業者等の手指や各種工具等を排水口１２１付近まで近づけることが可能な限り、特に限定されない。例えば、防水パン１００の外形形状や大きさ等に応じて可動壁１４０を設ける位置、大きさ、外形形状等は適宜変更することが可能である。また、可動壁１４０は、本実施形態に示すように側壁部１３０ａ全体を構成してもよいし、後述する実施形態において説明するように側壁部１３０ａの一部のみを構成してもよい。
【００２１】
図２に示すように、可動壁１４０のじゃばら構造の本体部１４１は、側壁部１３０ａの高さ方向に沿う上端部１４２側から下端部１４３側にかけて、底部１２０の内側へ向けて傾斜している（図２の矢印ｄ−ｄ’を参照）。作業者は、可動壁１４０の本体部１４１を伸縮させる際、本体部１４１を斜め方向へ持ち上げたり、押し下げたりする。そのため、作業者は、本体部１４１を垂直方向に可動させる場合に比べて、本体部１４１をより小さな力でスムーズに伸縮させることができる。また、図３に示すように、可動壁１４０の本体部１４１は、収縮した際、底部１２０により近接した位置まで折り畳まれる。したがって、本体部１４１を収縮させた際、開口部１３５と排水口１２１との間の距離を近づけることができ、メンテナンス作業や清掃作業の作業性をより一層向上させることができる。
【００２２】
なお、可動壁１４０の本体部１４１は、例えば、可動時（伸長時）の軌跡が防水パン１００の内側に向けて直線状に傾斜していてもよいし、防水パン１００の内側に向けて弧を描くような曲線状に傾斜していてもよい。また、本体部１４１の可動方向（伸縮方向）は、例えば、側壁部１３０ａの高さ方向に沿って略垂直であってもよい。
【００２３】
図２および図３に示すように、可動壁１４０は、隣接する二つの載置部１１０ａ、１１０ｂの各内壁１１１ａ、１１１ｂに対してそれぞれ固定される一組の側部１４４、１４５と、一組の側部１４４、１４５の間に設けられた本体部１４１と、を有している。
【００２４】
可動壁１４０の側部１４４は、例えば、溶着や接着等により、載置部１１０ａの内壁１１１ａに固定することができる。同様に、可動壁１４０の側部１４５は、例えば、溶着や接着等により、載置部１１０ｂの内壁１１１ｂに固定することができる。
【００２５】
可動壁１４０の本体部１４１は、可動壁１４０が側部１４４、１４５を介して載置部１１０ａ、１１０ｂに固定された状態で、各載置部１１０ａ、１１０ｂの間で側壁部１３０ａとして機能する。また、可動壁１４０は、じゃばら構造を備えない各側部１４４、１４５により可動壁１４０全体が支持された状態で、本体部１４１のみを伸縮させることができる。可動壁１４０は、上記のように防水パン１００に対して着脱できないように固定されている。そのため、メンテナンス作業のために可動壁１４０を取り外す必要がない。したがって、可動壁１４０を防水パン１００から取り外すことに起因して可動壁１４０の紛失等が生じることを防止することができる。
【００２６】
可動壁１４０の各側部１４４、１４５は、例えば、公知の樹脂材料で構成することができる。また、可動壁１４０の本体部１４１は、例えば、ブロー成形した樹脂材料、織布、不織布等で構成することができる。また、底部１２０、各側壁部１３０ｂ、１３０ｃ、１３０ｄ、および各載置部１１０ａ、１１０ｂ、１１０ｃ、１１０ｄ等は、例えば、可動壁１４０の側部１４４、１４５と同種の樹脂材料で構成することができる。
【００２７】
（第２実施形態）
次に、本発明の第２実施形態に係る防水パン１００Ａを説明する。第２実施形態の説明において前述した実施形態と同一の構成については説明を適宜省略する。
【００２８】
図４に示すように、防水パン１００Ａは、排水口１２１が設けられた底部１２０と、底部１２０に対して高さ方向に突出し、洗濯機２００が載置される複数の載置部１１０ａ、１１０ｂ、１１０ｃ、１１０ｄと、底部１２０の周囲を囲むように配置された複数の側壁部１３０ａ、１３０ｂ、１３０ｃ、１３０ｄと、側壁部１３０ａの排水口１２１と近接した箇所に配置された可動壁１４０と、を有している。
【００２９】
図５、図６に示すように、可動壁１４０が配置された側壁部１３０ａは、開口部１３５が形成された基部１３１と、基部１３１に隣接して配置された縦壁部１３３を有している。なお、図５には、可動壁１４０を設置していない状態の側壁部１３０ａの周辺部を示し、図６には、可動壁１４０を設置した状態の側壁部１３０ａの周辺部を示している。
【００３０】
側壁部１３０ａの基部１３１には、側壁部１３０ａの幅方向（載置部１１０ａと載置部１１０ｂを繋ぐ方向）の中心側に向けて湾曲した周縁部１３４が形成されている。
【００３１】
側壁部１３０ａの縦壁部１３３は、載置部１１０ａの上端部まで延びている。つまり、縦壁部１３３には開口部１３５が形成されていない。
【００３２】
周縁部１３４よりも防水パン１００Ａの内側（底部１２０が設けられた側）の部分には、可動壁１４０の本体部１４１の下端部１４３が固定される第１傾斜部１３２ａが形成されている。本体部１４１の下端部１４３の正面側の一部は、第１傾斜部１３２ａに固定されている。基部１３１の内側には、第１傾斜部１３２ａと対向する第２傾斜部１３２ｂが形成されている。第１傾斜部１３２ａと第２傾斜部１３２ｂは、収縮した可動壁１４０の本体部１４１の一部を収容可能な凹部を形成する（図１０を参照）。
【００３３】
可動壁１４０の本体部１４１は、側壁部１３０ａの開口部１３５を防水パン１００Ａの内側から覆うように配置されている。可動壁１４０の本体部１４１の上端部１４２には、所定の枠部材１４８が取り付けられている。
【００３４】
枠部材１４８は、可動壁１４０の上端部１４２の正面側に位置する部分に接続された第１部位１４８ａと、可動壁１４０の上端部１４２の側面側に位置する部分に接続された第２部位１４８ｂと、第１部位１４８ａに設けられた取手部１４８ｃと、を有している。
【００３５】
図７、図８に示すように、取手部１４８ｃは、可動壁１４０の本体部１４１が伸長した状態において、防水パン１００Ａの高さ方向に沿って略垂直に延びるように配置している。使用者は、可動壁１４０の本体部１４１を伸縮させる際、手指を取手部１４８ｃに引っ掛けて可動壁１４０を側壁部１３０ａの上下方向に移動させることにより、本体部１４１を容易に伸縮させることができる。
【００３６】
なお、取手部１４８ｃの配置方向や形状等は適宜変更することが可能である。例えば、取手部１４８ｃは、図１０に示すように可動壁１４０の本体部１４１が収縮した際、第２傾斜部１３２ｂとは接触しない程度に、防水パン１００Ａの第２傾斜部１３２ｂに近接するように配置することも可能である。このように取手部１４８ｃを配置することにより、可動壁１４０の本体部１４１を取手部１４８ｃにより伸縮させる際の操作性が向上するとともに、排水管１２５や排水トラップのメンテナンス作業を行う際、取手部１４８ｃが邪魔になって作業性が低下することを防止できる。
【００３７】
図５に示すように、載置部１１０ａの内壁１１１ａには、可動壁１４０の本体部１４１を固定するための固定壁１１１ｃが設けられている。固定壁１１１ｃは、側壁部１３０ａ側に向けて、かつ、防水パン１００Ａの底部１２０側（下部側）へ向けて傾斜している。
【００３８】
可動壁１４０の本体部１４１の下端部１４３は固定壁１１１ｃに固定されている。なお、固定方法としては、例えば、溶着や接着等を採用することができる。
【００３９】
図８に示すように、可動壁１４０の本体部１４１は、側壁部１３０ａの高さ方向に伸長した状態において、側壁部１３０ａに形成された開口部１３５側に向けて円弧状に張り出した形状を形成する。
【００４０】
可動壁１４０の本体部１４１の上端部１４２は、可動壁１４０の本体部１４１が側壁部１３０ａの高さ方向に伸長した状態において、載置部１１０ａの上端面に対して略平行に延びる直線形状をなすように配置される。一方、可動壁１４０の本体部１４１の下端部１４３は、固定壁１１１ｃに沿って底部１２０側に向けて傾斜した形状で配置される。
【００４１】
前述したように、可動壁１４０の本体部１４１の上端部１４２には枠部材１４８が取り付けられている。また、可動壁１４０の本体部１４１の下端部１４３は側壁部１３０ａに形成された第１傾斜部１３２ａおよび載置部１１０ａの内側に形成された固定壁１１１ｃに対して固定されている。そのため、可動壁１４０の本体部１４１を伸縮させる際、可動壁１４０は、本体部１４１の下端部１４３側に対して本体部１４１の上端部１４２側が側壁部１３０ａの高さ方向へ可動する。また、本実施形態では、可動壁１４０の本体部１４１の下端部１４３が固定された固定壁１１１ｃは、防水パン１００Ａの底部１２０側に向けて斜めに傾斜している。そのため、可動壁１４０の本体部１４１が収縮する際、本体部１４１は、固定壁１１１ｃに向けて湾曲する軌跡（底部１２０の内側へ向かう傾斜した軌跡）を描くように可動する（図９、図１０の矢印ｄを参照）。
【００４２】
図７、図８に示すように、防水パン１００Ａは、可動壁１４０の本体部１４１が側壁部１３０ａの高さ方向に伸長している間、側壁部１３０ａに形成された開口部１３５が可動壁１４０の本体部１４１により覆われた状態となる。そのため、幼児やペットが洗濯機２００の底面側へ不用意にアクセスすることを防止できる。また、防水パン１００Ａの内側で排水管１２５からの水漏れが発生した場合であっても、防水パン１００Ａの外側へ水が漏れ出すことを防止できる。さらに、防水パン１００Ａの外側から防水パン１００Ａの内側へ塵やごみ等が入り込むことも防止できる。
【００４３】
図９、図１０に示すように、作業者は、可動壁１４０の本体部１４１が側壁部１３０ａの高さ方向に収縮すると、側壁部１３０ａに形成された開口部１３５を介して防水パン１００Ａの底部１２０側に手指等を挿入することが可能になる。そのため、作業者は、排水管１２５および排水トラップのメンテナンス作業や清掃作業を行う際、開口部１３５を介して手指等を洗濯機２００の底面側に容易に配置することが可能になる。したがって、作業者は、防水パン１００Ａ上に洗濯機２００が載置された状態においても、メンテナンス作業や清掃作業を容易に行うことができる。また、作業者は、可動壁１４０の本体部１４１を伸長させて図７、図８に示す状態に変形させることにより、可動壁１４０と各側壁部１３０ａ、１３０ｂ、１３０ｃ、１３０ｄとにより底部１２０の周囲が囲まれた状態へ可逆的に戻すことができる。
【００４４】
可動壁１４０の本体部１４１は、図１０に示すように収縮した際、側壁部１３０ａの基部１３１に形成された第２傾斜部１３２ｂよりも防水パン１００Ａの内側に配置される。また、側壁部１３０ａの基部１３１は、底部１２０から所定の高さで立設している。そのため、可動壁１４０の本体部１４１が収縮した状態で水漏れ等が発生した場合に、基部１３１および第２傾斜部１３２ｂにより、防水パン１００Ａの外側へ水が漏れ出すことを防止することができる。
【００４５】
以上、実施形態を通じて本発明に係る防水パンを説明したが、本発明は明細書内で説明した内容のみに限定されるものでなく、特許請求の範囲の記載に基づいて適宜変更することが可能である。
【００４６】
例えば、底部の具体的な形状、寸法、載置部の具体的な形状、寸法、個数、側壁部の具体的な形状、寸法、個数等は、図示により示した内容に限定されない。また、可動壁は、側壁部の底部の排水口に近接する位置に少なくとも一つ配置されていればよく、一つの防水パンにおいて複数の側壁部に設けることも可能である。
【符号の説明】
【００４７】
１００、１００Ａ  防水パン（洗濯機用防水パン）、
１１０ａ、１１０ｂ、１１０ｃ、１１０ｄ  載置部、
１１１ａ、１１１ｂ  載置部の内壁、
１１１ｃ  固定壁、
１２０  底部、
１２１  排水口、
１２５  排水管、
１３０ａ、１３０ｂ、１３０ｃ、１３０ｄ  側壁部、
１３５  開口部、
１４０  可動壁、
１４１  可動壁の本体部、
１４２  可動壁の上端部、
１４３  可動壁の下端部、
１４４、１４５  可動壁の側部、
２００  洗濯機。
【図１】
2020026692.tif 000003
【図２】
2020026692.tif 000004
【図３】
2020026692.tif 000005
【図４】
2020026692.tif 000006
【図５】
2020026692.tif 000007
【図６】
2020026692.tif 000008
【図７】
2020026692.tif 000009
【図８】
2020026692.tif 000010
【図９】
2020026692.tif 000011
【図１０】
2020026692.tif 000012